(57)【要約】【課題】決済システムを利用して有価価値が価値付けられた記録媒体を発行する場合に遊技客が負担する利用料を効率良く設定するとともに、遊技客の状況並びに遊技店のサービスに適合した利用料を円滑かつ効率良く選択させることを課題とする。【解決手段】Ｔ／Ｃ１５０上でデビット決済時に遊技客に負担させる利用額を設定して各カード発行機１３０に通知し、カード発行機１３０がデビット決済操作を受け付けた際に、Ｔ／Ｃ１５０から受け取った各利用額の中から最も安い利用料を選択し、選択した利用料とプリペイドカードの購入金額を加算した額を決済要求額として情報処理センタ１７０に決済要求を行い、決済許可を受け取った場合にプリペイドカードの発行処理を行う。【選択図】        図１
2007148555.tif 000002
【特許請求の範囲】
【請求項１】
決済システムによる決済により有価価値が価値付けられた記録媒体を発行する記録媒体発行装置と、該記録媒体発行装置により発行された記録媒体ごとの有価価値を管理する管理装置とを有する記録媒体発行システムであって、
前記管理装置は、
前記決済システムを利用した決済取引時に遊技客が負担する利用料を設定する利用料設定手段と、前記利用料設定手段により設定された利用料を前記記録媒体発行装置に通知する利用料通知手段とを備え、
前記記録媒体発行装置は、
遊技客から決済システムを利用した記録媒体の発行要求を受け付けた際に、該記録媒体に対応する金額に前記管理装置から通知された利用料を加算した額を決済要求額とした決済要求を前記決済システムに対して行う決済要求手段と、前記決済要求手段による決済要求が前記決済システムにより容認された場合に、前記記録媒体を発行するよう制御する記録媒体発行制御手段とを備えた
ことを特徴とする記録媒体発行システム。
【請求項２】
複数の利用料の中から当該遊技客若しくは当該遊技店のサービス内容に応じた利用料を選択する利用料選択手段をさらに備え、
前記決済要求手段は、遊技客から決済システムを利用した記録媒体の発行要求を受け付けた際に、該記録媒体に対応する金額に前記利用料選択手段により選択された利用料を加算した額を決済要求額とした決済要求を前記決済システムに対して行う
ことを特徴とする請求項１に記載の記録媒体発行システム。
【請求項３】
前記利用料選択手段は、複数の利用料の中から当該遊技客にとって最も利用料が低額となる利用料を選択することを特徴とする請求項２に記載の記録媒体発行システム。
【請求項４】
前記利用料設定手段は、遊技客の属性に応じた複数の利用料を設定し、前記利用料選択手段は、前記利用料設定手段により設定された複数の利用料の中から当該遊技客の属性に適合した利用料を選択することを特徴とする請求項２に記載の記録媒体発行システム。
【請求項５】
前記利用料設定手段は、遊技店によるサービスとして利用料を減額する時間帯毎、日別毎若しくは曜日毎の利用料を設定し、前記利用料選択手段は、前記利用料設定手段により設定された複数の利用料の中から記録媒体発行操作時点の時間帯、日若しくは曜日に適合した利用料を選択することを特徴とする請求項２に記載の記録媒体発行システム。
【請求項６】
前記利用料設定手段は、遊技店全体の決済取引回数若しくは利用料総額が所定値未満の場合の第１の利用料と所定値以上となった場合の第２の利用料を設定し、前記利用料選択手段は、記録媒体発行操作時点での遊技店全体の決済取引回数若しくは利用料総額が所定値未満である場合には第１の利用料を選択し、所定値以上である場合には第２の利用料を選択することを特徴とする請求項２に記載の記録媒体発行システム。
【請求項７】
前記記録媒体発行手段は、複数種類の記録媒体を選択する際に利用する表示可能な選択ボタンと、前記利用料選択手段により選択された利用料、減免額並びに減免理由を各選択ボタン上に表示制御する表示制御手段とをさらに備えたことを特徴とする請求項２〜６のいずれか一つに記載の記録媒体発行システム。
【請求項８】
決済システムによる決済により有価価値が価値付けられた記録媒体を記録媒体発行装置から発行するとともに、該記録媒体発行装置により発行された記録媒体ごとの有価価値を管理装置で管理する記録媒体発行システムの記録媒体発行方法であって、
前記管理装置上で前記決済システムを利用した決済取引時に遊技客が負担する利用料を設定する利用料設定工程と、
前記利用料設定手段により設定された利用料を前記記録媒体発行装置に通知する利用料通知工程と、
前記記録媒体発行装置が、遊技客から決済システムを利用した記録媒体の発行要求を受け付けた際に、該記録媒体に対応する金額に前記管理装置から通知された利用料を加算した額を決済要求額とした決済要求を前記決済システムに対して行う決済要求工程と、
前記決済要求工程による決済要求が前記決済システムにより容認された場合に、前記記録媒体を発行するよう制御する記録媒体発行制御工程と
を含んだことを特徴とする記録媒体発行方法。
【発明の詳細な説明】
【技術分野】
【０００１】
本発明は、決済システムによる決済により有価価値が価値付けられた記録媒体を発行する記録媒体発行装置と、該記録媒体発行装置により発行された記録媒体ごとの有価価値を管理する管理装置とを有する記録媒体発行システム及び記録媒体発行方法に関し、特に、決済システムを利用して有価価値が価値付けられた記録媒体を発行する場合に遊技客が負担する利用料を効率良く設定するとともに、遊技客の状況並びに遊技店のサービスに適合した利用料を円滑かつ効率良く選択させることが可能な記録媒体発行システム及び記録媒体発行方法に関する。
【背景技術】
【０００２】
従来、パチンコ機やパチスロ機等の遊技機を配設した遊技店では、遊技客は有価価値が価値付けられたプリペイドカードを購入し、このプリペイドカードを遊技機に併設されたカード処理ユニットに挿入して所定の貸出操作を行うことで、パチンコ玉やメダル等の遊技媒体を借り受けることが多い。
【０００３】
この種の遊技媒体貸出システムでは、遊技店内にプリペイドカードを発行するカード発行機を配設するとともに、このカード発行機にいわゆるデビット子機と呼ばれる端末装置を併設して、デビット決済によりプリペイドカードを購入可能にすることがある。
【０００４】
かかるデビット決済では、一デビット取引毎に遊技店がデビット決済センタに対して決済手数料を払わねばならないが、この決済手数料を全て遊技店が支払うこととすると、遊技店側の決済手数料負担が過大となるため、この決済手数料の一部を利用料として遊技客から徴収するのが通常である。
【０００５】
このため、デビット決済を通じて遊技客がプリペイドカードを購入する際に遊技客自身が負担する利用料を一律のものとせず、会員については利用料を優遇したり、遊技客自身が所定回数のデビット決済回数を利用した場合に該利用料を減免する従来技術が知られている。
【０００６】
例えば、特許文献１には、カード発行機に設けたハンディ端末上で会員又は非会員のデビット決済時の利用料を設定し、会員がデビット決済によりプリペイドカードを購入すると非会員よりも利用料が減額され、これにより会員加入のインセンティブを高めることができる記録媒体処理装置が開示されている。
【０００７】
また、特許文献２には、遊技客によるデビット決済によるプリペイドカードの購入回数が所定回数以上となった場合に、該遊技客によるそれ以降のデビット決済時の利用料を減免して、これによりデビット決済を利用するインセンティブを高める遊技媒体貸出システムが知られている。
【０００８】
【特許文献１】特開２００３−２０８５５０号公報
【特許文献２】特開２００４−１２１３１７号公報
【発明の開示】
【発明が解決しようとする課題】
【０００９】
しかしながら、上記特許文献１のものは、カード発行機上のハンディ端末にて利用料をその都度設定しなければならないので、多数のカード発行機が配設される遊技店では、利用料設定に係る係員の負担が累増するという問題がある。
【００１０】
加えて、この特許文献１によれば、遊技客が所在する店舗運営時間中に利用料の設定を行うと、その間遊技客がカード発行機を使用することができなくなってしまい、稼働率の低下を招く結果となる。このため、遊技店は、開店前若しくは閉店後に利用料を設定せざるを得ないが、かかる利用料設定を行うこととすると遊技店の運営状況に応じて店舗運営時間中に適宜利用料を変更することができず、遊技客に魅力あるサービスを行う上での大きな制約事項になっている。
【００１１】
また、特許文献１及び２に示すように、会員に対して利用料を優遇したり、利用回数に応じて利用料を優遇するだけではなく、さらなる利用料の優遇態様により遊技客に対してデビット利用のインセンティブを高めることも望まれている。この際、多くの利用料優遇態様を採用すればするほど、各遊技客に対する優遇態様の選択が錯綜するため、遊技客の状況並びに遊技店のサービス方針に適合した優遇態様を効率良く選択可能にする必要もある。
【００１２】
これらのことから、デビット決済を利用してプリペイドカードを発行する場合に遊技客が負担する利用料をいかに効率良く設定し、遊技客の状況並びに遊技店のサービスに適合した利用料をいかに円滑かつ効率良く選択するかが大きな過大となっている。なお、かかる課題は、デビット決済を利用する場合に限らず利用料を徴収する他の他の決済システムを利用する場合にも生ずる課題であり、またプリペイドカードを発行する場合だけではなく有価価値が価値付けられたコイン等を発行する場合にも同様に生ずる課題である。
【００１３】
この発明は、上述した従来技術による問題を解決するためになされたものであり、決済システムを利用して有価価値が価値付けられた記録媒体を発行する場合に遊技客が負担する利用料を効率良く設定するとともに、遊技客の状況並びに遊技店のサービスに適合した利用料を円滑かつ効率良く選択させることが可能な記録媒体発行システム及び記録媒体発行方法を提供することを目的とする。
【課題を解決するための手段】
【００１４】
上述した課題を解決するため、本発明は、決済システムによる決済により有価価値が価値付けられた記録媒体を発行する記録媒体発行装置と、該記録媒体発行装置により発行された記録媒体ごとの有価価値を管理する管理装置とを有する記録媒体発行システムであって、前記管理装置は、前記決済システムを利用した決済取引時に遊技客が負担する利用料を設定する利用料設定手段と、前記利用料設定手段により設定された利用料を前記記録媒体発行装置に通知する利用料通知手段とを備え、前記記録媒体発行装置は、遊技客から決済システムを利用した記録媒体の発行要求を受け付けた際に、該記録媒体に対応する金額に前記管理装置から通知された利用料を加算した額を決済要求額とした決済要求を前記決済システムに対して行う決済要求手段と、前記決済要求手段による決済要求が前記決済システムにより容認された場合に、前記記録媒体を発行するよう制御する記録媒体発行制御手段とを備えたことを特徴とする。
【００１５】
また、本発明は、上記発明において、複数の利用料の中から当該遊技客若しくは当該遊技店のサービス内容に応じた利用料を選択する利用料選択手段をさらに備え、前記決済要求手段は、遊技客から決済システムを利用した記録媒体の発行要求を受け付けた際に、該記録媒体に対応する金額に前記利用料選択手段により選択された利用料を加算した額を決済要求額とした決済要求を前記決済システムに対して行うことを特徴とする。
【００１６】
また、本発明は、上記発明において、前記利用料選択手段は、複数の利用料の中から当該遊技客にとって最も利用料が低額となる利用料を選択することを特徴とする。
【００１７】
また、本発明は、上記発明において、前記利用料設定手段は、遊技客の属性に応じた複数の利用料を設定し、前記利用料選択手段は、前記利用料設定手段により設定された複数の利用料の中から当該遊技客の属性に適合した利用料を選択することを特徴とする。
【００１８】
また、本発明は、上記発明において、前記利用料設定手段は、遊技店によるサービスとして利用料を減額する時間帯毎、日別毎若しくは曜日毎の利用料を設定し、前記利用料選択手段は、前記利用料設定手段により設定された複数の利用料の中から記録媒体発行操作時点の時間帯、日若しくは曜日に適合した利用料を選択することを特徴とする。
【００１９】
また、本発明は、上記発明において、前記利用料設定手段は、遊技店全体の決済取引回数若しくは利用料総額が所定値未満の場合の第１の利用料と所定値以上となった場合の第２の利用料を設定し、前記利用料選択手段は、記録媒体発行操作時点での遊技店全体の決済取引回数若しくは利用料総額が所定値未満である場合には第１の利用料を選択し、所定値以上である場合には第２の利用料を選択することを特徴とする。
【００２０】
また、本発明は、上記発明において、前記記録媒体発行手段は、複数種類の記録媒体を選択する際に利用する表示可能な選択ボタンと、前記利用料選択手段により選択された利用料、減免額並びに減免理由を各選択ボタン上に表示制御する表示制御手段とをさらに備えたことを特徴とする。
【００２１】
また、本発明は、決済システムによる決済により有価価値が価値付けられた記録媒体を記録媒体発行装置から発行するとともに、該記録媒体発行装置により発行された記録媒体ごとの有価価値を管理装置で管理する記録媒体発行システムの記録媒体発行方法であって、前記管理装置上で前記決済システムを利用した決済取引時に遊技客が負担する利用料を設定する利用料設定工程と、前記利用料設定手段により設定された利用料を前記記録媒体発行装置に通知する利用料通知工程と、前記記録媒体発行装置が、遊技客から決済システムを利用した記録媒体の発行要求を受け付けた際に、該記録媒体に対応する金額に前記管理装置から通知された利用料を加算した額を決済要求額とした決済要求を前記決済システムに対して行う決済要求工程と、前記決済要求工程による決済要求が前記決済システムにより容認された場合に、前記記録媒体を発行するよう制御する記録媒体発行制御工程とを含んだことを特徴とする。
【発明の効果】
【００２２】
本発明によれば、管理装置上で決済システムを利用した決済取引時に遊技客が負担する利用料を設定するとともに、設定した利用料を記録媒体発行装置に通知し、この通知を受けた記録媒体発行装置は、遊技客から決済システムを利用した記録媒体の発行要求を受け付けた際に、該記録媒体に対応する金額に管理装置から通知された利用料を加算した額を決済要求額とした決済要求を決済システムに対して行い、決済要求が決済システムにより容認された場合に、記録媒体を発行制御するよう構成したので、遊技客が負担する利用料を管理装置を介して効率良く記録媒体発行装置に設定することができる。
【００２３】
また、本発明によれば、複数の利用料の中から当該遊技客若しくは当該遊技店のサービス内容に応じた利用料を選択するとともに、遊技客から決済システムを利用した記録媒体の発行要求を受け付けた際に、該記録媒体に対応する金額に選択された利用料を加算した額を決済要求額とした決済要求を決済システムに対して行うよう構成したので、複数の利用料の中から遊技客の状況並びに遊技店のサービスに適合した利用料を円滑かつ効率良く選択することができる。
【００２４】
また、本発明によれば、複数の利用料の中から当該遊技客にとって最も利用料が低額となる利用料を選択するよう構成したので、遊技客にとって最も有利な利用料を選択し、もって遊技客が決済システムを利用するインセンティブを高めることができる。
【００２５】
また、本発明によれば、管理装置上で遊技客の属性に応じた複数の利用料を設定するとともに、設定された複数の利用料の中から当該遊技客の属性に適合した利用料を選択するよう構成したので、特定の会員に対する利用料を優遇する等のサービスを行い、もって会員加入のインセンティブを高めることができる。
【００２６】
また、本発明によれば、管理装置上で遊技店によるサービスとして利用料を減額する時間帯毎、日別毎若しくは曜日毎の利用料を設定するとともに、記録媒体発行装置が設定された複数の利用料の中から記録媒体発行操作時点の時間帯、日若しくは曜日に適合した利用料を選択するよう構成したので、遊技店が例えば「７のつく日は利用料を減額します」等の時間関連のイベントを行い、もって集客効果を高めることができる。
【００２７】
また、本発明によれば、管理装置上で遊技店全体の決済取引回数若しくは利用料総額が所定値未満の場合の第１の利用料と所定値以上となった場合の第２の利用料を設定するとともに、記録媒体発行装置が記録媒体発行操作時点での遊技店全体の決済取引回数若しくは利用料総額が所定値未満である場合には第１の利用料を選択し、所定値以上である場合には第２の利用料を選択するよう構成したので、遊技店が店舗全体として予め想定した回数若しくは総額以上の決済利用があった場合に店舗全体の売上若しくは集客が見込めるので、その見返りとして遊技客が負担する利用料を減免し、もって集客効果を高めることができる。
【００２８】
また、本発明によれば、記録媒体発行装置上に複数種類の記録媒体を選択する際に利用する表示可能な選択ボタンを設けておき、選択された利用料、減免額並びに減免理由を各選択ボタン上に表示制御するよう構成したので、遊技客により選択ボタンを押下される前に利用料の減免額及び理由を把握させ、もって決済システム利用のインセンティブを高めることができる。
【発明を実施するための最良の形態】
【００２９】
以下に添付図面を参照して、本発明に係る記録媒体発行システム及び記録媒体発行方法の好適な実施例を詳細に説明する。なお、ここでは本発明をデビット決済を用いてプリペイドカードを購入する場合に適用した例を示すこととする。
【実施例】
【００３０】
まず、本実施例に係る記録媒体発行システムを採用する遊技店内の装置構成並びにデビット決済システムについて説明する。図１は、本実施例に係る記録媒体発行システムを採用する遊技店内の装置構成並びにデビット決済システムを説明するための説明図である。
【００３１】
図１に示すように、パチンコ店内に設けられる各パチンコ機１００にはそれぞれカード処理ユニット１１０が併設されており、各カード処理ユニット１１０は、島コントローラ１２０を介してターミナルコントローラ（以下「Ｔ／Ｃ」と言う）１５０に接続されている。また、このＴ／Ｃ１５０には、デビット子機の機能を内在するカード発行機１３０とカード精算機１４０が接続されている。
【００３２】
パチンコ機１００は、パチンコ玉を遊技領域に発射して遊技客が遊技を行う遊技機であり、カード処理ユニット１１０は、このパチンコ機１００に併設され、プリペイドカードを受け付けて遊技媒体であるパチンコ玉を貸し出す処理機である。島コントローラ１２０は、各島に配設されたカード処理ユニット１１０とＴ／Ｃ１５０との間のデータ中継を行う中継装置である。
【００３３】
カード発行機１３０は、デビット決済により有価価値である度数が価値付けられたプリペイドカードを発行する装置であり、その内部に従来のデビット子機の機能を持つデビットカード処理部１３０ｅを内在する。すなわち、かかるカード発行機１３０は、従来のカード発行機とデビット子機を一体化した装置であり、現金によるカード発行は行わずにデビット決済によるカード発行のみを行うものである。なお、本実施例では説明の便宜上、かかるカード発行機１３０をデビット決済専用機とした場合を示すこととするが、現金によるプリペイドカードの発行機能を付与することもできる。
【００３４】
このカード発行機１３０に内在されるデビットカード処理部１３０ｅは、デビットカードのカードＩＤ、該デビットカードに対応付けられた暗証番号及び決済要求額を情報処理センタ１７０に送信して決済依頼を行う処理部である。
【００３５】
ここで、このカード発行機１３０は、Ｔ／Ｃ１５０上で設定された利用料をデビット決済時に遊技客から徴収する点にその特徴があり、Ｔ／Ｃ１５０上で設定された各条件ごとの利用料を登録した利用料テーブルを受信して記憶しておき、デビット決済要求操作を受け付けたならば、遊技客の情報若しくはパチンコ店のサービス内容に応じた利用料を選択し、選択した利用料を遊技客から徴収することとしている。このため、パチンコ店では、Ｔ／Ｃ１５０上にて利用料を設定すれば、その設定内容が各カード発行機１３０に反映されるため、各種イベント等に合わせた多種多様な利用料減免サービスを柔軟に提供することができる。
【００３６】
カード精算機１４０は、カード発行機１３０により発行されたプリペイドカードのうち未使用のものを精算して現金を投出する精算機である。このカード精算機１４０にプリペイドカードが投入されると、該カード精算機１４０がＴ／Ｃ１５０に対してこのプリペイドカードのカードＩＤに対応する残度数を問い合わせ、残度数分の現金を払い出すことになる。
【００３７】
Ｔ／Ｃ１５０は、パチンコ店に少なくとも１台設置してあり、カードデータ管理テーブルを用いて各カードＩＤごとに発行額、残度数及び発行日時等を管理する管理装置である。すなわち、プリペイドカードにはカードＩＤが記憶されており、このカードＩＤに関する情報がＴ／Ｃ１５０で管理されているのである。
【００３８】
また、このＴ／Ｃ１５０は、単にプリペイドカードの度数管理を行うだけではなく、デビット決済時に遊技客から徴収する利用料を設定する機能を有する。具体的には、（１）デフォルトとなる利用料の設定、（２）時間帯別の利用料の設定、（３）日毎の利用料の設定、（４）曜日毎の利用料の設定、（５）会員用の利用料の設定、（６）動的変動設定を行い、設定した利用料をカード発行機１３０に通知する。
【００３９】
ここで、時間帯別、日毎及び曜日ごとに利用料を設定できるようにした理由は、デビット決済時に必要となる利用料の減額を遊技店のサービスの一環としてイベントと連動できるようにするためである。また、会員に利用料を設定できるようにした理由は、例えば来店回数の多い会員の手数料を減免して会員加入へのインセンティブを高めるためである。さらに、動的変動設定とは、例えば遊技店全体でデビット利用回数が所定回数以上となった場合に、パチンコ店で一定の売上若しくは集客効果を上げられたものとみなしてその後の利用料の一部又は全部をパチンコ店側で負担し、もって遊技客に優良店との印象を与えて集客効果を高めるためである。
【００４０】
情報処理センタ１７０は、公衆回線網１６０を介してカード発行機１３０からのデビット決済要求を受け付ける窓口であり、かかるデビット決済要求を受け付けたならば、ＣＡＦＩＳネットワーク１８０を介して遊技客（利用者）の銀行口座が設けられているデビットカード発行銀行１９０に対して残高問い合わせを行い、決済要求額（プリペイドカードの額＋利用料）以上の口座残高がある場合には決済処理を行う。この決済処理に応答して、デビットカード発行銀行１９０の遊技客の銀行口座から加盟店銀行２００の情報処理センタ１７０の口座に決済要求額が引き落とされる。その後、所定の手数料を差し引いた金額が、この加盟店銀行２００の情報処理センタ１７０の口座から△△銀行２１０のパチンコ店の口座にまとめて決済額が振り込まれる。
【００４１】
次に、図１に示したカード発行機１３０の構成について説明する。図２は、図１に示したカード発行機１３０の外観構成を示す正面図である。同図に示すように、このカード発行機１３０の前面には、タッチパネル式表示部１３１、テンキー１３２、デビットカード挿入口１３３、レシート発行口１３４及びカード発行口１３５が設けられている。なお、本実施例では、このカード発行機１３０をデビット利用専用機としているため、紙幣挿入口等については設けていない。
【００４２】
ここで、この正面図を用いてカード発行機１３０の操作概要を説明すると、まず遊技客は、デビットカード挿入口１３３にデビットカードを挿入するとともにテンキー１３２を用いて暗証番号を入力する。また、遊技客がタッチパネル式表示部１３１上に表示される金額選択ボタン１３１ａを押下すると、押下した金額に利用料を加算した額が決済要求額とされ、この決済要求額、デビットカードのカードＩＤ及び暗証番号を含むデビット決済要求が情報処理センタ１７０に対してなされる。
【００４３】
そして、情報処理センタ１７０によりデビット決済要求が容認されると、タッチパネル式表示部１３１上に決済完了等が表示され、カード発行口１３５から決済額に対応する額のプリペイドカードが排出されるとともに、レシート発行口１３４からレシートが発行され、デビットカード挿入口１３３からデビットカードが返却される。
【００４４】
図３は、図１に示したカード発行機１３０の内部構成を示す機能ブロック図である。同図に示すように、このカード発行機１３０は、タッチパネル式表示部１３１、テンキー１３２、通信インターフェース部（通信Ｉ／Ｆ部）１３０ａ及び１３０ｂ、カードリーダ１３０ｃ、印字部１３０ｄ、デビットカード処理部１３０ｅ、カード発行処理部１３０ｆ、記憶部１３０ｇ及び制御部１３０ｈを有する。
【００４５】
タッチパネル式表示部１３１は、遊技客による指での操作入力を受け付けることが可能な液晶パネル等で形成される入力表示兼用デバイスであり、このタッチパネル式表示部１３１には金額選択ボタン１３１ａが表示される他、デビット決済要求した結果（容認又は棄却）等が表示される。
【００４６】
ここで、遊技客がこのカード発行機１３０にデビットカードを挿入すると、タッチパネル式表示部１３１の金額選択ボタン１３１ａには、図４−１に示すように、プリペイドカードの金額及び利用料が表示される。ここでは、１０００円、２０００円、５０００円及び１００００円のプリペイドカードが発行可能であり、それぞれの利用料がデフォルト値である１００円である場合を示している。
【００４７】
一方、遊技店の店員がＴ／Ｃ１５０上で利用料の割引に係る設定を行うと、図４−２に示すように、この金額選択ボタン１３１ａには、デフォルトの利用料、割引後の利用料及び割引理由が表示される。ここでは、２０００円のプリペイドカードの利用料が時間帯割引で２０円割り引かれ８０円となり、５０００円のプリペイドカードの利用料が日別割引で５０円割り引かれ５０円となり、１００００万円のプリペイドカードの利用料が無料となった状況を示している。このように、金額選択ボタン１３１ａ毎に利用料を設定することにより、遊技店が推奨するプリペイドカードの種別を遊技客に報知し、もって収益率を高めることができる。
【００４８】
図３の説明に戻ると、テンキー１３２は、遊技客がデビット決済取引を行う際に必要になる暗証番号の入力を行うための入力デバイスである。通信Ｉ／Ｆ部１３０ａは、公衆回線網１６０を介して情報処理センタ１７０とデータ通信するためのインターフェース部であり、通信Ｉ／Ｆ部１３０ｂは、Ｔ／Ｃ１５０と通信を行うためのインターフェース部である。
【００４９】
カードリーダ１３０ｃは、デビットカード挿入口１３３に挿入されたデビットカードからカードＩＤを読み取って制御部１３０ｈに出力する処理部であり、印字部１３０ｄは、デビット決済取引終了後のデビット明細をレシートとして印字するための小型プリンタである。この印字部１３０ｄで印字されたレシートは、レシート発行口１３４から排出される。
【００５０】
デビットカード処理部１３０ｅは、遊技客からデビット決済操作を受け付けた際に、情報処理センタ１７０に対してこのデビット決済操作に対応するデビット決済要求を行う処理部であり、具体的には、カードＩＤ、暗証番号及び決済要求額（選択された金額選択ボタン１３１ａの額＋利用料）を情報処理センタ１７０に送信してデビット決済要求を行う。例えば、カードＩＤ「1234567」を所有する遊技客から「３０００円（利用料は１００円）」のデビット決済依頼を受けた場合に、このデビットカード処理部１３０ｅは、情報処理センタ１７０に対して「３１００円」分のデビット決済要求を行う。
【００５１】
カード発行処理部１３０ｆは、情報処理センタ１７０からデビット決済の容認通知を受け付けた場合に、該当する金額のプリペイドカードを発行処理する処理部である。具体的には、発行するプリペイドカードのカードＩＤ、発行金額、残度数及び発行日時をＴ／Ｃ１５０に通知するとともに、該カードＩＤを有するプリペイドカードをカード発行口１３５から発行することになる。
【００５２】
記憶部１３０ｇは、ハードディスク装置や不揮発性メモリからなる記憶デバイスであり、ここにはＴ／Ｃ１５０から通知された利用料設定テーブル１５４ｂ等が記憶される。なお、この利用料設定テーブル１５４ｂは、制御部１３０ｈ内に設けられた利用料選択処理部１３０ｉによって参照される。
【００５３】
制御部１３０ｈは、公衆回線網１６０を介して情報処理センタ１７０との間のデータ授受を行う処理、Ｔ／Ｃ１５０との通信を行う処理等を含むカード発行機１３０の全体制御を行う制御部であり、利用料選択処理部１３０ｉを有する。
【００５４】
この利用料選択処理部１３０ｉは、デビット決済操作を受け付けた際に、利用料設定テーブル１５４ｂに基づいて利用料を決定する処理部であり、具体的には、複数の利用料の中から割引額が最も高く利用料が低額になる利用料を選択する。例えば、１０時〜１２時の利用料が８０円に設定され、１２月７日の利用料が５０円に設定されている場合に、デビット決済操作を受け付けた日時が１２月７日１１時である場合には、より割引額の大きい５０円が利用料として選択される。ただし、最も割引額が高い利用料を選択するのではなく、複数の利用料が該当する場合に特定の利用料（例えば時間帯の利用料）を優先して選択するようにすることもできる。
【００５５】
次に、図１に示したＴ／Ｃ１５０の内部構成について説明する。図５は、図１に示したＴ／Ｃ１５０の内部構成を示す機能ブロック図である。同図に示すように、このＴ／Ｃ１５０は、通信Ｉ／Ｆ部１５１と、入力部１５２と、表示部１５３と、記憶部１５４と、制御部１５５とからなる。
【００５６】
通信Ｉ／Ｆ部１５１は、カード発行機１３０、カード精算機１４０又はカード処理ユニット１１０とデータ通信するためのインターフェース部であり、入力部１５２は、キーボードやマウス等の入力デバイスであり、表示部１５３は、ディスプレイ装置や液晶パネル等の表示デバイスである。
【００５７】
記憶部１５４は、ハードディスク装置や不揮発性メモリからなる記憶デバイスであり、カードデータ管理テーブル１５４ａ及び利用料設定テーブル１５４ｂを記憶する。カードデータ管理テーブル１５４ａは、プリペイドカードのカードＩＤ毎に発行額、残度数及び発行日時等を管理するテーブルであり、利用料設定テーブル１５４ｂは、デビット決済時に遊技客から徴収する利用料を記憶するテーブルである。
【００５８】
制御部１５５は、Ｔ／Ｃ１５０の全体制御を行う制御部であり、カード管理部１５５ａ及び利用料設定部１５５ｂを有する。カード管理部１５５ａは、カードデータ管理テーブル１５４ａを用いて各プリペイドカードの残度数等を管理する管理部である。
【００５９】
利用料設定部１５５ｂは、デビット決済要求を行う際に遊技客が負担する利用料を設定する処理部である。具体的には、表示部１５３上に表示される図６〜図１２に示した表示メニューに対して入力部１５２から所定の入力操作を行うと、デフォルト設定、時間別設定、日別設定、曜日設定、会員用設定及び動的変動設定のそれぞれの利用料を設定し、利用料設定テーブル１５４ｂに格納することができる。この利用料設定テーブル１５４ｂは、その後に制御部１５５によってカード発行機１３０に通知される。
【００６０】
図６は、図５に示したＴ／Ｃ１５０の表示部１５３に表示するデビット利用料設定メニューの表示内容を示す図である。同図に示すように、このデビット利用料設定メニューは、遊技店の店員が設定する利用料の種別を選択するための選択メニューであり、選ばれた項目に対応して図７〜図１２に示す個別の設定メニューが表示部１５３上に現れる。ここでは、（１）デフォルト設定、（２）時間別設定、（３）日別設定、（４）曜日設定、（５）会員用設定及び（６）動的変動設定の設定項目を設けた場合を示している。
【００６１】
ここで、遊技店の店員がデフォルト設定を選択した場合には、図７に示したデフォルト設定メニューに移行する、図７は、デフォルト設定メニューの一例を示す図である。同図に示すように、このデフォルト設定メニューでは、タッチパネル式表示部１３１上に表示する金額選択ボタン１３１ａ（以下、単に「ボタン」と言う）の金種種別及び基本となる利用料を設定する。ここでは、タッチパネル式表示部１３１上に４種類のボタン１〜４を表示するとともに、金額１０００円及び利用料１００円をボタン１に設定し、金額２０００円及び利用料１００円をボタン２に設定し、金額５０００円及び利用料１００円をボタン３に設定し、金額１００００円及び利用料１００円をボタン４にデフォルト値として設定した場合を示している。
【００６２】
また、図６に示したデビット利用料設定メニュー上で時間別設定を選択した場合には、図８に示した時間別設定メニューに移行する。図８は、時間別設定メニューの一例を示す図である。同図に示すように、この時間別設定メニューでは、時間帯により利用料の割引対象とするボタンを指定するとともに、割引額及び利用料の少なくとも一方を設定することになる。ここでは、１０時〜１２時の開店割引として利用料を２０円減額して８０円とした状況を示している。なお、ここでは全ボタン１〜４を割引対象とした場合を示しているが、特定のボタンのみを割引対象とすることもできる。
【００６３】
また、図６に示したデビット利用料設定メニュー上で日別設定を選択した場合には、図９に示した日別設定メニューに移行する。図９は、日別設定メニューの一例を示す図である。同図に示すように、この日別設定メニューでは、日別に利用料の割引対象とするボタンを指定するとともに、割引額及び利用料の少なくとも一方を設定することになる。なお、ここでは「７」のつく日をイベント対象日として利用料を５０円減額した状況を示している。
【００６４】
また、図６に示したデビット利用料設定メニュー上で曜日設定を選択した場合には、図１０に示した曜日設定メニューに移行する。図１０は、曜日設定メニューの一例を示す図である。同図に示すように、この曜日設定メニューでは、曜日毎に利用料の割引対象とするボタンを指定するとともに、割引額及び利用料の少なくとも一方を設定することになる。なお、ここでは毎週「月曜日」をイベント対象日として利用料を３０円減額した状況を示している。
【００６５】
また、図６に示したデビット利用料設定メニュー上で会員用設定を選択した場合には、図１１に示した会員用設定メニューに移行する。図１１は、会員用設定メニューの一例を示す図である。同図に示すように、この会員設定メニューでは、特定の条件を満たす会員を利用料の割引対象として指定するとともに、割引額及び利用料の少なくとも一方を設定することになる。なお、ここでは来店回数が１０回以上の会員に対する利用料を３０円減額した状況を示している。
【００６６】
また、図６に示したデビット利用料設定メニュー上で動的変動用設定を選択した場合には、図１２に示した動的変動設定メニューに移行する。この動的変動設定メニューは、上記図７〜図１１に示したような一度設定すると固定的に利用料が定まるものではなく、状況に応じて動的に利用料を変動させるものである。
【００６７】
図１２は、動的変動設定メニューの一例を示す図である。同図に示すように、この動的変動設定メニューでは、パチンコ店での対象期間（１２月７日１０時〜２３時）の全デビット取引回数が２００回を超えるまでは１００円の利用料を設定し、２００回以上となった場合に利用料を無料とした状況を示している。また、図中に示したように、全取引回数だけではなくパチンコ店での利用料総額が所定額（例えば１０万円）以上となった場合に利用料を無料にするよう設定することもできる。なお、ここでは１０時〜２３時すなわちパチンコ店の一日のサービス提供期間を対象期間とした場合を示したが、一週間若しくは一ヶ月等の期間を対象期間とすることもできる。
【００６８】
次に、Ｔ／Ｃ１５０上で設定した利用料設定テーブルをカード発行機１３０に格納するまでの処理手順について説明する。図１３は、Ｔ／Ｃ１５０上で設定した利用料設定テーブルをカード発行機１３０に格納するまでの処理手順を示すフローチャートである。
【００６９】
同図に示すように、Ｔ／Ｃ１５０の利用料設定部１５５ｂは、デビット利用料設定メニューを表示部１５３上に表示して利用料の変更待ちの状態にあり（ステップＳ１０１否定）、表示部１５３上で利用料の変更指示を受け付けたならば（ステップＳ１０１肯定）、利用料設定テーブル１５４ｂを更新した後（ステップＳ１０２）、この利用料設定テーブル１５４ｂをカード発行機１３０に送信する（ステップＳ１０３）。
【００７０】
カード発行機１３０は、この利用料設定テーブル１５４ｂを受信したならば、該利用料設定テーブル１５４ｂを記憶部１３０ｇに格納し（ステップＳ１０４）、Ｔ／Ｃ１５０に対して完了通知を行う（ステップＳ１０５）。
【００７１】
これにより、このカード発行機１３０が新たにデビット決済操作を受け付けた場合に、新たな利用料設定テーブル１５４ｂに基づいて利用料を選択することができるため、パチンコ店の運営時間中に利用料の変更が行われた場合であっても、その結果をリアルタイムで反映させ、もってサービスの向上を図ることができる。
【００７２】
次に、図１に示したカード発行機１３０が行うカード発行処理手順について説明する。図１４及び図１５は、図１に示したカード発行機１３０が行うカード発行処理手順を示すフローチャートである。
【００７３】
同図に示すように、カード発行機１３０は、まずデビットカードの受付待ちの状態にあり（ステップＳ２０１否定）、デビットカード挿入口１３３からデビットカードを受け付けたならば（ステップＳ２０１肯定）、このデビットカードに記録されたカードＩＤを読み取り（ステップＳ２０２）、暗証番号の受付待ちの状態となる（ステップＳ２０３否定）。
【００７４】
ここで、テンキー１３２を介して暗証番号を受け付けたならば（ステップＳ２０３肯定）、会員カードを受け付けたか否かを確認し（ステップＳ２０４）、会員カードを受け付けたならば（ステップＳ２０４肯定）、会員カードのカードＩＤをキーとしてＴ／Ｃ１５０から会員データを取得する（ステップＳ２０５）。
【００７５】
その後、図示しないタイマーから時間データ（現在時刻、日付、曜日）を取得し（ステップＳ２０６）、取得した時間データ及び会員データと利用料設定テーブル１５４ｂに基づいて遊技客から徴収すべき利用料を決定し（ステップＳ２０７）、決定した利用料をデフォルトの利用料とともに図４−２に示したように金額選択ボタン１３１ａ上に表示する。
【００７６】
そして、いずれかの金額選択ボタン１３１ａが押下されたならば（ステップＳ２０９肯定）、該当する金額と決定した利用料を加算して決済要求額を算定し（ステップＳ２１０）、この決済要求額をデビットカードのカードＩＤ及び暗証番号とともに情報処理センタ１７０に送信して決済要求を行う（ステップＳ２１１）。
【００７７】
そして、情報処理センタ１７０から決済不許可（決済ＮＧ）の通知を受け取ったならば（ステップＳ２１２否定）、タッチパネル式表示部１３１上にエラー表示を行った後に（ステップＳ２１３）、デビットカード及び会員カードを排出して（ステップＳ２１７）処理を終了する。
【００７８】
これに対して、情報処理センタ１７０から決済許可（決済ＯＫ）の通知を受け取ったならば（ステップＳ２１２肯定）、該当する金額の度数が価値付けられたプリペイドカードのカードＩＤ、発行額、残度数及び発行日付をＴ／Ｃ１５０に送信するとともに該プリペイドカードをカード発行口１３５から排出するカード発行処理を行うとともに（ステップＳ２１４）、レシート発行口１３４からレシートを発行し（ステップＳ２１５）、タッチパネル式表示部１３１上に取引完了表示を行った後に（ステップＳ２１６）、デビットカード及び会員カードを排出して（ステップＳ２１７）処理を終了する。
【００７９】
上述してきたように、本実施例では、Ｔ／Ｃ１５０上でデビット決済時に遊技客に負担させる利用額を設定して各カード発行機１３０に通知し、カード発行機１３０がデビット決済操作を受け付けた際に、Ｔ／Ｃ１５０から受け取った各利用額の中から最も安い利用料を選択し、選択した利用料とプリペイドカードの購入金額を加算した額を決済要求額として情報処理センタ１７０に決済要求を行い、決済許可を受け取った場合にプリペイドカードの発行処理を行うよう構成したので、Ｔ／Ｃ１５０を介して各カード発行機１３０に適正な利用料を効率良く設定することができる。
【００８０】
なお、本実施例では、本発明をデビット決済システムに適用した場合を示したが、本発明はこれに限定されるものではなく、利用料を遊技客から徴収する各種決済システムに適用することもできる。また、本実施例では、記録媒体としてプリペイドカードを発行する場合を示したが、本発明はこれに限定されるものではなく、度数が価値付けられたコイン等の他の記録媒体に適用することもできる。
【００８１】
また、本実施例では、時間別の利用料設定、日別の利用料設定、曜日毎の利用料設定、特定会員の利用料設定、動的に変動する利用料設定について説明したが、本発明はこれに限定されるものではなく、他の要因に注目して利用料をＴ／Ｃ１５０上で設定する場合に適用することもできる。
【００８２】
また、本実施例では、Ｔ／Ｃ１５０において設定された複数の利用料を利用料設定テーブル１５４ｂとしてカード発行機１３０に通知し、カード発行機１３０上でカード発行処理時にこの利用料設定テーブル１５４ｂに基づいて利用料を選択する場合を示したが、本発明はこれに限定されるものではなく、Ｔ／Ｃ１５０はカード発行機１３０に対して利用料設定テーブル１５４ｂを通知せず、カード発行機１３０からの要求に応じてその都度Ｔ／Ｃ１５０が利用料設定テーブルから利用料を選択するよう構成することもできる。
【００８３】
また、本実施例では、カード発行機１３０から公衆回線網１６０を介して情報処理センタ１７０に接続する場合を示したが、本発明はこれに限定されるものではなく、情報処理センタ１７０とＴ／Ｃ１５０との間を公衆回線網１６０を介して接続し、カード発行機１３０がＴ／Ｃ１５０及び公衆回線網１６０を介して情報処理センタ１７０にデビット決済要求を行うよう構成することもできる。
【産業上の利用可能性】
【００８４】
本発明にかかる記録媒体発行システム及び記録媒体発行方法は、決済システムを利用して有価価値が価値付けられた記録媒体を発行する場合に遊技客が負担する利用料を効率良く設定するとともに、遊技客の状況並びに遊技店のサービスに適合した利用料を円滑かつ効率良く選択させる場合に有用である。
【図面の簡単な説明】
【００８５】
【図１】本実施例に係る記録媒体発行システムを採用する遊技店内の装置構成並びにデビット決済システムを説明するための説明図である。
【図２】図１に示したカード発行機の外観構成を示す正面図である。
【図３】図１に示したカード発行機の内部構成を示す機能ブロック図である。
【図４−１】図１に示したタッチパネル式表示部に表示する金額選択ボタンの一表示態様を示す図である。
【図４−２】図１に示したタッチパネル式表示部に表示する金額選択ボタンの別の表示態様を示す図である。
【図５】図１に示したＴ／Ｃの内部構成を示す機能ブロック図である。
【図６】図５に示したＴ／Ｃの表示部に表示するデビット利用料設定メニューの表示内容を示す図である。
【図７】デフォルト設定メニューの一例を示す図である。
【図８】時間別設定メニューの一例を示す図である。
【図９】日別設定メニューの一例を示す図である。
【図１０】曜日設定メニューの一例を示す図である。
【図１１】会員用設定メニューの一例を示す図である。
【図１２】動的変動設定メニューの一例を示す図である。
【図１３】Ｔ／Ｃ上で設定した利用料設定テーブルをカード発行機に格納するまでの処理手順を示すフローチャートである。
【図１４】図１に示したカード発行機が行うカード発行処理手順を示すフローチャート（１）である。
【図１５】図１に示したカード発行機が行うカード発行処理手順を示すフローチャート（２）である。
【符号の説明】
【００８６】
１００  パチンコ機
１１０  カード処理ユニット
１２０  島コントローラ
１３０  カード発行機
１３０ａ，１３０ｂ  通信Ｉ／Ｆ部
１３０ｃ  カードリーダ
１３０ｄ  印字部
１３０ｅ  デビットカード処理部
１３０ｆ  カード発行処理部
１３０ｇ  記憶部
１３０ｈ  制御部
１３０ｉ  利用料選択処理部
１３１  タッチパネル式表示部
１３２  テンキー
１３３  デビットカード挿入口
１３４  レシート発行口
１３５  カード発行口
１４０  カード精算機
１５０  ターミナルコントローラ（Ｔ／Ｃ）
１５１  通信Ｉ／Ｆ部
１５２  入力部
１５３  表示部
１５４  記憶部
１５４ａ  カードデータ管理テーブル
１５４ｂ  利用料設定テーブル
１５５  制御部
１５５ａ  カード管理部
１５５ｂ  利用料設定部
１６０  公衆回線網
１７０  情報処理センタ
１８０  ＣＡＦＩＳネットワーク
１９０  デビットカード発行銀行
２００  加盟店銀行
２１０  △△銀行
【図１】
2007148555.tif 000003
【図２】
2007148555.tif 000004
【図３】
2007148555.tif 000005
【図４−１】
2007148555.tif 000006
【図４−２】
2007148555.tif 000007
【図５】
2007148555.tif 000008
【図６】
2007148555.tif 000009
【図７】
2007148555.tif 000010
【図８】
2007148555.tif 000011
【図９】
2007148555.tif 000012
【図１０】
2007148555.tif 000013
【図１１】
2007148555.tif 000014
【図１２】
2007148555.tif 000015
【図１３】
2007148555.tif 000016
【図１４】
2007148555.tif 000017
【図１５】
2007148555.tif 000018